(57)【要約】【課題】扉開成によって上昇した輻射冷却式冷蔵室の庫内温度を短時間で設定温度へ復帰させ得る冷凍冷蔵庫を提供する。【解決手段】開閉扉１２１が閉じた場合、冷却方式の切換えを行わずに、本ルーチンが終了する（温度判定処理Ｓ０３）。その後、時間経過に応じて当該処理ルーチンが繰り返され、開閉扉１２１が閉じたまま野菜室１３０の庫内温度が野菜室用設定温度（基準値）を下回ったとすると、以下の処理が行われる。即ち、この場面では、「処理Ｓ０１→処理Ｓ０３→処理Ｓ０４」という処理経路を辿り、当該処理Ｓ０４では、冷気戻し経路１８２の経路断面積を縮小させる指令信号を制御装置９０が出力し、この経路での開度を約０％に設定する。【選択図】図６
2014142091.tif 000002
【特許請求の範囲】
【請求項１】
室内冷気の循環が行われる循環冷却式貯蔵室と、輻射材を配備させ輻射冷却が行われると供に室内冷気の流動形成が可能な輻射冷却式冷蔵室と、開閉扉の開閉状態を検出する開閉検出素子と、前記輻射冷却式冷蔵室と前記循環冷却式貯蔵室とを連通させる冷気戻し経路と、前記冷気戻し経路の経路断面積を変化させる戻し冷気制限部と、前記戻し冷気制限部を動作させるアクチュエータと、前記アクチュエータへ指令信号を出力し前記戻し冷気制限部のストロークを制御する制御装置と、を備え、
前記制御装置は、前記開閉扉が開いた場合に、前記冷気戻し経路の経路断面積を拡大させる指令信号を出力し、前記開閉扉が閉じた場合に、所定時間経過してから、前記冷気戻し経路の経路断面積を縮小させる指令信号を出力することを特徴とする冷凍冷蔵庫。
【請求項２】
室内冷気の循環が行われる循環冷却式貯蔵室と、輻射材を配備させ輻射冷却が行われると供に室内冷気の流動形成が可能な輻射冷却式冷蔵室と、開閉扉の開閉状態を検出する開閉検出素子と、前記輻射冷却式冷蔵室と前記循環冷却式貯蔵室とを連通させる冷気戻し経路と、前記冷気戻し経路の経路断面積を変化させる戻し冷気制限部と、前記戻し冷気制限部を動作させるアクチュエータと、前記アクチュエータへ指令信号を出力し前記戻し冷気制限部のストロークを制御する制御装置と、を備え、
前記制御装置は、前記開閉扉が開いた場合に、前記冷気戻し経路の経路断面積を拡大させる指令信号を出力し、前記開閉扉が閉じた場合に、前記輻射冷却式冷蔵室での検出温度が基準値まで低下してから、前記冷気戻し経路の経路断面積を縮小させる指令信号を出力することを特徴とする冷凍冷蔵庫。
【発明の詳細な説明】
【技術分野】
【０００１】
本発明は、冷凍冷蔵庫に関し、特に、輻射冷却式冷蔵室での冷気流量が調節可能な冷凍冷蔵庫に関する。
【背景技術】
【０００２】
特開２００１−３４３１８０号公報（特許文献１）では、ファンクール式（循環冷却式）の設定と壁面冷却式（輻射冷却式）の設定とを選択可能とさせた冷凍冷蔵庫が紹介されている。かかる技術では、扉が開けられると冷却方式をファンクール式に設定し、扉が閉じられると冷却方式を壁面冷却式へ切換える制御を行う。
【先行技術文献】
【特許文献】
【０００３】
【特許文献１】特開２００１−３４３１８０号公報
【発明の概要】
【発明が解決しようとする課題】
【０００４】
通常、冷凍冷蔵庫では、扉の開成中に冷気が逃げてしまうので、扉の閉成直後の庫内温度は上昇してしまう。ところが、特許文献１の技術によれば、扉が閉成されると直ぐに冷却能力の劣る壁面冷却式へ切換えられてしまう為、庫内温度が設定温度へ戻るまで時間が掛かり、庫内貯蔵物の保存状態を悪化させる惧れがある。特に、輻射冷却式冷蔵室が野菜室として用いられる場合、其の問題は深刻なものとなる。
【０００５】
本発明は上記課題に鑑み、扉開成によって上昇した輻射冷却式冷蔵室の庫内温度を短時間で設定温度へ復帰させ得る冷凍冷蔵庫の提供を目的とする。
【課題を解決するための手段】
【０００６】
上記課題を解決するため、本発明では次のような冷凍冷蔵庫の構成とする。即ち、室内冷気の循環が行われる循環冷却式貯蔵室と、輻射材を配備させ輻射冷却が行われると供に室内冷気の流動形成が可能な輻射冷却式冷蔵室と、開閉扉の開閉状態を検出する開閉検出素子と、前記輻射冷却式冷蔵室と前記循環冷却式貯蔵室とを連通させる冷気戻し経路と、前記冷気戻し経路の経路断面積を変化させる戻し冷気制限部と、前記戻し冷気制限部を動作させるアクチュエータと、前記アクチュエータへ指令信号を出力し前記戻し冷気制限部のストロークを制御する制御装置と、を備え、
前記制御装置は、前記開閉扉が開いた場合に、前記冷気戻し経路の経路断面積を拡大させる指令信号を出力し、前記開閉扉が閉じた場合に、所定時間経過してから、前記冷気戻し経路の経路断面積を縮小させる指令信号を出力することとする。
【０００７】
室内冷気の循環が行われる循環冷却式貯蔵室と、輻射材を配備させ輻射冷却が行われると供に室内冷気の流動形成が可能な輻射冷却式冷蔵室と、開閉扉の開閉状態を検出する開閉検出素子と、前記輻射冷却式冷蔵室と前記循環冷却式貯蔵室とを連通させる冷気戻し経路と、前記冷気戻し経路の経路断面積を変化させる戻し冷気制限部と、前記戻し冷気制限部を動作させるアクチュエータと、前記アクチュエータへ指令信号を出力し前記戻し冷気制限部のストロークを制御する制御装置と、を備え、
前記制御装置は、前記開閉扉が開いた場合に、前記冷気戻し経路の経路断面積を拡大させる指令信号を出力し、前記開閉扉が閉じた場合に、前記輻射冷却式冷蔵室での検出温度が基準値まで低下してから、前記冷気戻し経路の経路断面積を縮小させる指令信号を出力することとする。
【発明の効果】
【０００８】
本発明に係る冷凍冷蔵庫によると、扉が開状態から閉成された場合であっても、輻射冷却式冷蔵室では、所定の条件が整うまで室内冷気の流動が維持される。従って、輻射冷却式冷蔵室の庫内温度は、室内冷気の流動作用によって速やかに設定温度へ回復されることとなる。
【図面の簡単な説明】
【０００９】
【図１】実施の形態に係る冷凍冷蔵庫の断面構造を示す図。
【図２】実施の形態に係る経路遮断部の構成を示す図。
【図３】冷気の循環状態を示す図。
【図４】実施例１に係る冷凍冷蔵庫の断面構造を示す図。
【図５】実施例２に係る冷凍冷蔵庫の構成を示す機能ブロック図。
【図６】実施例２に係る冷気流量制御ルーチンを説明する図。
【発明を実施するための形態】
【００１０】
以下、本発明に係る実施の形態につき図面を参照して具体的に説明する。図１は、本実施の形態に係る冷凍冷蔵庫の断面構造が示されている。図示の如く、冷凍冷蔵庫１００は、内部に断熱材を充填させた天板断熱パネル１０１，背面断熱パネル１０２，及び，底板断熱パネル１０３が組合わされ、内部に貯蔵空間を有する矩形体が形成されている。この貯蔵空間では、断熱性を有する間仕切部１０４、背面内部パネル１４０ａ〜１４０ｂ、中仕切部１５０を備えている。このうち、間仕切部１０４は冷凍室と冷蔵室との間に設けられ、中仕切部１５０は冷蔵室と野菜室との間に設けられる。即ち、本実施の形態に係る冷凍冷蔵室１００は、天板側から順に、冷凍室１１０，冷蔵室１２０，野菜室１３０がレイアウトされている。
【００１１】
冷凍室１１０の開口部には、開閉可能な冷凍扉１１１が設けられ、室内側にはドアポケットが設けられている。また、冷凍室１１０の庫内背面側には、背面内部パネル１４０ａと背面断熱パネル１０２との間に背面ダクト１７０が形成され、当該背面ダクト１７０には、エバポレータ２０及び撹拌ファン１０が配備されている。また、背面内部パネル１４０ａは、所定距離を隔てて連通孔１４１，１４２が形成されており、これらの間に仕切板１１２が設けられる。図示の如く、冷凍室１１０では、撹拌ファン１０によって連通孔１４１から室内冷気Ａｆが供給され、室内冷気Ａｆが仕切板１１２の端部まで導かれ、その室内冷気Ａｆが連通孔１４２へ戻される。このように、本実施の形態に係る冷凍室は、主として室内冷気の循環によって貯蔵物を冷却させる循環冷却式貯蔵室であって、約−１８℃程度の冷凍用温度に設定される。
【００１２】
図示の如く、本実施の形態では、一の開口部に対応して冷蔵室１２０及び野菜室１３０が設けられる。このうち、冷蔵室１２０は、仕切板１２２と背面内部パネル１４０ｂとが設けられ、更に、開閉自在な冷蔵扉１２１（開閉扉）のドアポケット１２１ａ及び１２１ｂが其の内部へ収容される。冷蔵室１２０では、自然対流によって室内冷気Ａｒが連通孔１４３から供給され、その室内冷気Ａｒは、仕切板１２２の端部まで導かれてから、連通孔１４４へ戻される。このように、本実施の形態に係る冷蔵室１２０も、主として室内冷気の循環によって貯蔵物を冷却させる循環冷却式貯蔵室であって、ここでは、約３℃〜５℃程度の冷蔵用温度に設定される。
【００１３】
野菜室１３０には、上部に開口を有する樹脂製の野菜トレイ１３１，１３２が設けられている。このうち、野菜トレイ１３１は、外周の一部に輻射板１３１（特許請求の範囲における輻射材）を覆わせた形態を成し、輻射板１３１ａの一部が内部で露出されるよう適宜工夫されている。また、野菜トレイ１３１と野菜トレイ１３２との間には、平板状の輻射板１３３（特許請求の範囲の輻射材）が設けられている。これら輻射材は、銅材またはアルミ材など熱伝導性の高い材質が用いられる。このように、野菜室１３０は、輻射材を庫内空間に適宜配備されたものであって、其の輻射冷却作用を用いて貯蔵物を冷却させる輻射冷却式冷蔵室である。また、本実施の形態に係る野菜室１３０では、庫内温度が５℃〜１２℃といった野菜貯蔵用温度に設定される。但し、これが上述した冷蔵用温度に近い温度へ設定されるものであっても良い。
【００１４】
野菜室１３０では、其の庫内空間に様々な室内冷気の冷気経路が形成され得る。例えば、野菜トレイ１３１のトレイ内部を通過する経路，野菜トレイ１３１と背面断熱パネル１０２との隙間を経由し野菜トレイ１３２のトレイ内部を通過する経路，輻射板１３３と野菜トレイ１３１（輻射板１３１ａを含む）との隙間を通過する経路，その他，野菜トレイの脇や底部を通過する経路，等が形成される。
【００１５】
尚、室内冷気とは、貯蔵物を配置する空間（庫内空間）に分布する冷気を指すものであり、この意味において、貯蔵物を配置しない空間（例えば、背面ダクト等）に分布する冷気とは区別される。
【００１６】
中仕切部１５０（特許請求の範囲における仕切部）の背面側では、冷気導引経路１８１を介して背面ダクト１７０と野菜室１３０の庫内空間とが連通され、背面ダクト１７０から与えられた冷気Ａｄを野菜室１３０へ供給可能とさせている。そして、野菜室直前まで導かれた冷気（導引冷気）は、野菜室１３０にて様々な経路に分枝して、青果貯蔵物・輻射板等を其の経路に応じて冷却させていく。
【００１７】
中仕切部１５０（特許請求の範囲における仕切部）の前面側では、ドアポケット１２１ｂとの間に冷気戻し経路１８２が形成され、当該冷気戻し経路１８２によって野菜室１３０と冷蔵室１２０とを連通させている。冷気戻し経路１８２では、野菜室内の冷気を此処で合流させ、其の戻し冷気Ａｖ６（室内冷気の一形態）は、冷蔵室を循環する室内冷気Ａｆと供に背面ダクト１７０へ導かれる。尚、本実施の形態では、ドアポケット１２１ｂと中仕切部１５０の端との対抗箇所で冷気戻し経路１８２が形成されている。但し、ドアポケットが無い場合には、冷蔵扉１２１の庫内側表面と中仕切部１５０の端との対抗箇所で冷気戻し経路１８２が形成されることとなる。このように、ドアポケット又は扉の庫内側表面といった扉の庫内に形成される構造は、何れも、特許請求の範囲における庫内構造に含まれるものである。
【００１８】
このような冷凍冷蔵庫１００は、エバポレータ２０，コンプレッサ３０，この他，凝縮器，キャピラリ―チューブ，によって冷媒回路を形成させており、ヒートポンプサイクルによって冷却作用を得ている。そして、この冷凍冷蔵庫１００にはマイコン等を具備する制御回路（図示なし）が設けられ、当該制御回路は、コンプレッサ３０やファンモータ１０といった装置を適宜制御させることで、各庫内温度を適正温度に調整制御させている。このような制御では、各室に設けられた温度計（図示なし），又は，開閉扉の開閉状態を検出する開閉検出素子（図示なし），等から得られる情報が用いられる。
【００１９】
本実施の形態に係る冷凍冷蔵庫１００は、図２に示す如く、導引冷気制限部１６３と戻し冷気制限部１６１とが設けられる。導引冷気制限部１６３は、冷気導引経路１８１に設けられ、当該経路の経路断面積を変化させるよう経路断面の開度変更が可能である。また、戻し冷気制限部１６１は、冷気戻し経路１８２に設けられ、当該経路の経路断面積を変化させるよう開度変更が可能である。かかる制限部１６１，１６３は、それぞれ操作部が設けられ独立して各々の開度を調節できるようにしても良い。また、これらの制限部を電気的に制御できるようにしてもよい。
【００２０】
図３（ａ）に示す如く、双方の経路断面の開度が０％近傍まで絞られると、導引冷気も戻し冷気も遮断されることとなる。従って、野菜室１３０の庫内空間には、冷気が殆ど流れなくなる。即ち、この場合には、冷却作用の殆どが輻射冷却に委ねられることとなる。この場合、野菜室１３０では、青果貯蔵物の周辺湿度が低下されずに済み、当該青果物の鮮度を好適に維持できる。
【００２１】
一方、図３（ｂ）に示す如く、双方の経路断面の開度によって、導引冷気及び戻し冷気が流動可能となり、例えば、「１８１→Ａｖ１→１８２→Ａｖ６（第１トレイ冷却ルート）」，「１８１→Ａｖ２→Ａｖ４→Ａｖ５→１８２→Ａｖ６（第２トレイ冷却ルート）」，「１８１→Ａｖ２→Ａｖ３→Ａｖ５→１８２→Ａｖ６（輻射板冷却ルート）」，この他、様々な冷却ルートを冷気が通過することとなる。経路断面の開度が１００％に設定される場合、野菜室１３０では、室内冷気の流動形成によって、野菜室１３０に流動冷気が最大限導入された循環冷却が行われる（図３ｂ参照）。この場合、野菜室１３０では、急激な温度上昇に対して、即座に温度を適正値へ戻すような温度制御が可能となる。
【００２２】
尚、上述した冷却ルートの他、冷蔵室と野菜室との間にダクトを設け、其のダクト壁での輻射熱を利用して冷却効果を発生させるようにしても良い。この場合、ダクト壁の全部又は一部が金属製の輻射板とされ、当該輻射板が野菜室に露出するように配置される。
【００２３】
また、経路断面を中間的な開度に設定するよう、導引冷気制限部１６３及び戻し冷気制限部１６１の両方，若しくは，導引冷気制限部１６３又は戻し冷気制限部１６１の何れか一方を調節操作するようにしても良い。この場合、冷却効果をある程度確保させつつ、併せて、青果物の鮮度低下を一定範囲に抑えるといった調節が可能となる。特に、導引冷気制限部１６３を予め適正開度へ設定しておけば、利用者にとって手前側の戻し冷気制限部１６１の操作のみで済むので、扉の開放時間を短縮でき、結果として、野菜室１３０に流れる冷気流量を低く設定させることができる。
【００２４】
このように、野菜室１３０では、導引冷気制限部１６３及び戻し冷気制限部１６１の開度調節によって、此処を通過する冷気流量を適宜に調整することが可能となる。従って、本実施の形態に係る冷凍冷蔵庫１００によると、野菜室１３０では、熱負荷に応じて冷気流量が調節されることで、温度制御に係る応答性が維持されると供に、当該室内へ格納された貯蔵物の鮮度低下が最小限に抑えられる。
【００２５】
また、制限部１６１，１６３の開度を低下させる場合、循環冷却作用によって輻射板が十分に冷却されているので、輻射冷却（開度０％）に切換えられても、其の輻射板は十分な冷却作用を発揮できる。
【００２６】
また、本実施の形態に係る冷凍冷蔵庫１００によると、中仕切部１５０とこれに対面する冷蔵扉１２１の庫内構造との間に、冷気戻し経路１８２が形成される。即ち、非常に簡素な構成で、冷気戻り経路１８２を形成させることが可能となる。
【００２７】
特に、冷蔵扉１２１の庫内構造をドアポケット１２１ｂとすることで、冷気戻し経路１８２を広すぎず狭すぎず適度な断面積とすることが可能となる。従って、戻し冷気制限部１６１の大きさを無用に肥大化させずに済む。
【００２８】
また、冷気戻し制限部１６１は、中仕切部１５０の形成面のうち、冷蔵扉１２１へ対面する部位（前面側化粧面１５５）に設けられる。かかる前面側化粧面１５５は、当然の如く冷蔵貯蔵物を配置させる場所ではないので、貯蔵物配置面１５４（食品貯蔵物を配置させる領域）で如何に冷蔵貯蔵物を配置させても、冷気戻し制限部１６１の動作が妨げられることは無い。
【００２９】
特に、本実施の形態に係る冷気戻し制限部１６１は、前面側化粧面１５５からスライド動作して水平方向に運動する機構とされ、言換えると、貯蔵物配置面１５４に対しスライド動作する。従って、当該冷気戻し制限部１６１の動作は、貯蔵物配置面１５４の貯蔵物に干渉することはなく、当該貯蔵物の配列を乱したりするようなこともない。
【００３０】
ここで、冷気戻し制限部１６１とドアポケット１２１ｂとの接近部は、完全な密閉状態が要求されるものではない。ここでは、冷気の流れを考慮して、双方の構造の重なり具合を適宜設定すると良い。従って、このように気流の流れが検討されていれば、冷気戻し制限部１６１とドアポケット１２１ｂとの接近部では、パッキン等の部品を省略できる。
【００３１】
また、図２に示す如く、本実施の形態に係る冷凍冷蔵庫１００は、径の異なるドラム１６５，１６６を一体化させたリンク機構が用いられている。かかるリンク機構は、各制限部１６１，１６３が板状体とされ、其の一方１６１がリンクアーム１６２を介して大型ドラム１６５に接続されている。また、他方１６３がリンクアーム１６４を介して小型ドラム１６６に接続されている。これらのリンクアームは、各節において回動可能とされ、ドラムの回転位置に応じて各制限部１６１，１６３へ押出力または引戻力を与える。そして、このリンク機構では、双方のドラムが一体化されているので、一の動作で双方の制限部１６１及び１６３が同時に操作されることとなる。
【００３２】
このように、本実施の形態に係る制限部１６１，１６３は、一の操作で双方調整させ得るリンク機構が設けられているので、これを手動調節させる場合、冷蔵扉１２１の開放時間を短縮できる。また、モーター等のアクチュエータを用いてこのリンク機構を操作させる場合には、一のアクチュエータによって制限部１６１，１６３を動作できることになり（自動制御）、装置の簡素化・低コスト化が図られることとなる。また、他の例として、冷気導引制限部１６３と冷気戻し制限部１６１との各々にアクチュエータを設けて、自動制御させることも考えられる。この場合、各々のアクチュエータが、これに対応する制限部１６１，１６３を動作させることとなる。
【実施例１】
【００３３】
図４は、本実施例に係る冷凍冷蔵庫１００の野菜室近傍断面図が示されている。図示の如く、当該冷凍冷蔵庫１００は、冷気導引制限部１６３の直後に金属塊２００が設けられ、背面断熱パネル１０２又は側面断熱パネル（図示なし）に固定されている。かかる金属塊２００は、熱伝導性の高い材質（銅材，アルミ材等）が好ましく、熱容量を確保するため輻射板１３１ａ，１３３と同等か其れ以上の体積を有しているのが良い。尚、本実施例では、金属塊２００が略円柱形状とされている。
【００３４】
本実施例では、金属塊２００にブラケット２１０が固定され、当該ブラケット２１０は、中断部にガイドレール１９０が固定され、下段部に輻射板１３３が固定されている。また、ガイドレール１９０は、輻射板１３１ａの舌片部がベアリング１９１を介して載置させ、この輻射板１３１ａをレール方向に摺動自在とさせている。尚、ガイドレール１９０及びベアリング１９１にあっても、熱伝導性の高い材質が好ましく、銅材，アルミ材，この何れかを用いた合金材であるのが好ましい。また、これらの構成については、高熱伝導性樹脂材を用いても良い。
【００３５】
この金属塊２００，ブラケット２１０，及び，ガイドレール１９０は、冷気の通気経路に設けられるので、循環冷却としての冷気が流れている際、これらの構造が冷却される。一方、これらの構造は、輻射冷却のみの設定へ切換えられると、循環冷却の際に冷却されたエネルギー状態を利用して、トレイ内の青果物に輻射冷却効果を与える。
【００３６】
このように、本実施例によると、金属塊２００から輻射板へ至る経路の全てが高熱伝導性の材質によって構成される為、金属塊２００と輻射板とが接続された際に熱的な伝路が十分確保されることとなる。そして、金属塊２００での熱容量は十分確保されるよう設計されているので、この構造は、輻射板で熱量を受けると、金属塊２００に向けて其の冷却に十分な熱勾配が形成される。従って、青果物から受けた輻射熱はこの構造を介して金属塊２００へ効果的に伝達され、これにより、青果物は、この構造により与えられる輻射冷却作用によって、効果的に冷却されることとなる。
【００３７】
尚、本実施例に係る金属塊２００について、以下のような変更を加えても良い。変更例に係る金属塊２００は、内部に蓄熱材を備えた２層構造とされる。この蓄熱材は、潜熱温度をＴ℃とすると、「５℃≦Ｔ≦１２℃」の範囲となるような材質が選択される。
【００３８】
かかる構成とされた金属塊２００では、蓄熱材が相変態（固相→液相）する現象で熱量が必要となるため、蓄熱材へ供給された熱量がこの相変態で消費されることとなる。このため、輻射冷却に切換えられた場合、金属塊２００は流動冷気による冷却は行われなくなるものの、蓄熱材の相変態によって潜熱温度に維持されることとなる。従って、輻射板から金属塊２００へ至る温度勾配が所定時間維持されることとなり、この間における輻射冷却作用が低下されずに済む。
【実施例２】
【００３９】
本実施例では、冷気の制限部を自動制御させる際の具体例を紹介する。図５には、冷凍冷蔵庫の冷媒回路と、これを電気的に制御する制御装置の機能ブロックが示されている。図の示すところ、冷媒回路１００ａを循環する冷媒は、冷却機用コンプレッサ３０を通過する際に高圧高温化され、凝縮器４０を通過する際にこれが冷却され液相状態となる。その後、液相状態の冷媒は、キャピラリーチューブ５０で減圧され、エバポレータ２０では、其の冷媒が気化されることで、庫内の熱量を吸収（冷却）する。かかる冷媒は、気相の状態で冷却機用コンプレッサ３０へ再投入され、冷却サイクルが繰り返されることとなる。
【００４０】
冷凍冷蔵庫１００は、冷凍室内温度計６１，冷蔵室内温度計６２，野菜室内温度計６３，開閉検出素子７０，を配備させている。これら温度計は、庫内の温度を計測し、計測結果を電気信号に変換し出力する。また、開閉検出素子７０は、扉の開閉に応じて出力信号を変える電気的素子（センサ）である。
【００４１】
本実施例に係る冷凍冷蔵庫１００は、冷気導引制限部１６３と冷気戻し制限部１６１とを同時に動作させるリンク機構が設けられるものとし、これに対応して一のアクチュエータ８０が設けられている。即ち、本実施例では、アクチュエータが駆動すると、冷気導引制限部１６３及び冷気戻し制限部１６１が双方同時に動作することとなる。尚、本実施例に係る開閉検出素子７０は、冷蔵室側の開閉扉１２１について検出するものである。但し、図示されていないが、冷凍側の開閉扉１１１についても同様な検出素子が設けられる。
【００４２】
制御装置９０は、図示の如く、温度検出部９１，ＣＭＰモータ制御部９２，ＣＮＤモータ制御部９３，ＥＶＰモータ制御部９４，扉開閉検出部９５，及び，冷気流量制御部９６が構築される。このうち、ＣＭＰモータ制御部９２は、ＰＷＭ信号を生成し、これをドライブ回路１２へ出力することで冷却機用コンプレッサモータ３０を制御する。また、ＣＮＤモータ制御部９３は、送風ファン４１のファンモータを制御させ、ＥＶＰモータ制御部９４は庫内ファン１０のファンモータを制御させる。
【００４３】
また、制御装置９０は、信号ラインを介して庫内温度計６１〜６３，開閉検出素子７０，アクチュエータ８０等に接続されており、それぞれの入力ポートに各センサから電気信号が印加される。温度検出部９１は、各温度計からの印加電圧に基づき室内温度の情報を得る。扉開閉検出部９５は、開閉検出素子７０から与えられた信号に基づき、扉１２１の開閉状態を判別する。冷気流量制御部９６は、アクチュエータ８０のストローク制御を行うことで各制限部１６１及び１６３を適宜に動作させ、冷気経路の開度を自動調節する。
【００４４】
かかる制御装置９０は、ＣＰＵ，メモリ回路，ＡＤ変換回路，クロック回路等のハードウェア資源と、メモリ回路等に格納された制御プログラム及び基準値情報といったソフトウェア資源とから成る装置である。制御装置９０は、これらハードウェア資源とソフトウェア資源とが協働することで、上述した機能部（９１〜９６）を構築させる。こうして、制御装置９０では、コンプレッサモータの回転数を設定する制御，庫内ファンモータの回転数を設定する制御，アクチュエータのストローク制御，といった様々な制御処理を実施する。
【００４５】
図６は、アクチュエータのストローク制御（冷却方式設定）に関する処理ルーチンが示されている。当該処理ルーチン（冷気流量制御ルーチン）は、所定タイミング毎に起動するものとする。図示の如く、開閉扉１２１が開けられている間、扉開閉判定処理Ｓ０１によって其の旨が把握され、双方の制限部１６１，１６３の開度を１００％に設定させる（循環冷却設定処理Ｓ０２）。
【００４６】
其の後、開閉扉１２１が閉じた場合、制御装置９０へ閉成信号が入力されるので、扉開閉判定処理Ｓ０１では扉が閉成した旨の情報を得ることとなる。この場合、野菜室１３０での検出温度が野菜室用設定温度（基準値）まで低下していなければ、冷却方式の切換えを行わずに、本ルーチンが終了する（温度判定処理Ｓ０３）。
【００４７】
そして、時間経過に応じて当該処理ルーチンが繰り返され、開閉扉１２１が閉じたまま野菜室１３０の庫内温度が野菜室用設定温度（基準値）を下回ったとすると、以下の処理が行われる。即ち、この場面では、「処理Ｓ０１→処理Ｓ０３→処理Ｓ０４」という処理経路を辿り、当該処理Ｓ０４では、冷気戻し経路１８２の経路断面積を縮小させる指令信号を制御装置９０が出力し、本実施例では、この経路での開度を約０％に設定する（輻射冷却設定処理Ｓ０４）。また、本実施例にあっては、この動作に連動して、冷気導引経路１８１での開度も約０％に設定される。このように、開閉扉１２１が閉成された場面では、野菜室１３０が設定温度まで低下してから、冷却方式が輻射冷却式の設定へと切換えられる。
【００４８】
その後、開閉扉１２１が再度開けられると、その直後に起動された処理ルーチンによって、冷気戻し経路の経路断面積を拡大させる指令信号を制御装置９０から出力させ、これにより、冷却方式が循環冷却式の設定へ切換られる。
【００４９】
本実施例に係る冷凍冷蔵庫によると、扉が開状態から閉成された場合、野菜室３０（輻射冷却式冷蔵室）では、設定温度へ低下するまで室内冷気の流動が維持される。従って、野菜室３０の庫内温度は、室内冷気の流動作用によって速やかに設定温度へ低下することとなる。このように、本実施例では、扉閉成後における野菜室の庫内温度が速やかに冷却されること、当該庫内温度が適正値（設定温度）へ達してから輻射冷却に設定されること、これらの特徴により、両冷却方式のメリットが最大限に引き出され、野菜室内へ貯蔵される青果物の鮮度状態・保存状態が好適に保たれる。
【００５０】
また、本実施例に係る戻し冷気制限部１６１は、開閉扉１２１が開いている間、常に中仕切部１５０へ収容されることとなる。このように、扉口の前面側に摺動物（戻し冷気制限部１６１）があっても、扉１２１を開けて作業する者にとっては、戻し冷気制限部１６１が常に収容状態とされる為、庫内作業の妨げとなるような不快感を受けることもなくなる。
【００５１】
また、本実施例に係る処理ルーチンでは、温度判定処理Ｓ０３によって「所定の条件」を判定するようにしている。しかし、これに限らず、扉が閉ざされてから所定時間経過後に（タイムカウント処理Ｓ３０’）、輻射冷却へ設定するようにしても良い（Ｓ４０）。この場合、野菜室での室内冷気の流動を維持させる時間（所定時間）を冷気リークに合わせて変更するといった工夫がされると良い。また、実施例１のように金属塊２００を設けて輻射冷却の能力を高めておけば、野菜室温度が設定値へ達する前に輻射冷却に切換ったとしても、これを補うような輻射冷却作用を期待できるであろう。
【００５２】
以上、本実施例に係る冷凍冷蔵庫の動作について説明したが、本発明は特許請求の範囲に記される技術的思想の範囲において適宜変更が可能である。本実施例では一のアクチュエータで両方の制限部１６１，１６３を同時制御させているが、これを変更し、導引冷気制限部１６３と戻し冷気制限部１６１の各々にアクチュエータを設け、戻し冷気用のアクチュエータのみに上述した処理ルーチンを適用させても良い。また、導引冷気制限部１６３については手動操作するようにしても良い。このような場合、導引冷気制限部１６３については全開〜半開の適宜な開度に設定しておき、戻し冷気制限部１６１の開度調整によって、野菜室３０における室内冷気の流量制御を行える。
【００５３】
また、本実施例では、扉の開閉動作を検出した時、冷気経路での開度を０％か１００％かに設定されるとしている。しかし、これに限らず、中間的な開度設定を行っても良く、必要に応じて、開度を段階的に増加（又は、減少）させる制御を取入れても良い。これにより、扉が閉じられた場面では、流動冷気が徐々に減少させることで、その間に、野菜室庫内温度が設定温度へ到達し易くなる。
【符号の説明】
【００５４】
１００  冷凍冷蔵庫，    １１０  冷凍室（循環冷却式貯蔵室），    １２０冷蔵室（循環冷却式貯蔵室），    １２１  冷蔵室用開閉扉，    １２１ａ〜１２１ｂ  ドアポケット，    １３０野菜室（輻射冷却式冷蔵室），    １３１ａ  トレイ一体型輻射板，    １３３  中仕切型輻射板，    １５０  仕切部，    １５４  貯蔵物配置面，    １５５  ドアポケット対面部位，    １６１  導引冷気制限部，    １６３  戻し冷気制限部，    １７０  背面ダクト，    １８１  冷気導引経路，    １８２  冷気戻し経路，    ２００  金属塊，    ８０  アクチュエータ，    ９０  制御装置。
【図１】
2014142091.tif 000003
【図２】
2014142091.tif 000004
【図３】
2014142091.tif 000005
【図４】
2014142091.tif 000006
【図５】
2014142091.tif 000007
【図６】
2014142091.tif 000008